(57)【要約】      （修正有）【課題】リモコン本体に対して着せ替えプレートを容易に取り付けることができ、着せ替えプレートが安易に落下することがない台所リモコンを提供する。【解決手段】台所リモコン６０は、リモコン本体６１の一面を覆う板状に形成されて意匠面６２ａをリモコン本体６１の一面の反対側に向けて配置されている着せ替えプレート６２を備える。着せ替えプレート６２の裏面側には金属片１２０、１２１が配置されており、リモコン本体６１の一面側に永久磁石が配置されている。そして、永久磁石はその磁力によって金属片１２０に付き、かつ永久磁石はその磁力によって金属片１２１に付くことにより、着せ替えプレート６２がリモコン本体６１に保持される。【選択図】図２
2015068588.tif 000002
【特許請求の範囲】
【請求項１】
水を加熱してお湯にして出湯する給湯器に適用される給湯リモコンであって、
一面（９０ａ）を有するリモコン本体（６１）と、
前記リモコン本体の前記一面を覆う板状に形成されて、前記一面に対する反対側に向けて意匠面（６２ａ）を配置してなる着せ替えプレート（６２）と、を備え、
前記着せ替えプレートおよび前記リモコン本体のうち一方には、磁石（９５ａ、９５ｂ、９５ｃ）が配置され、他方には金属片（１２０、１２１、１２２）が配置されており、
前記磁石の磁力によって前記磁石に前記金属片が付くことにより、前記リモコン本体に前記着せ替えプレートが保持されていることを特徴とする給湯リモコン。
【請求項２】
前記着せ替えプレートは、その厚み方向に貫通する第１開口部（１１０）を備えており、
前記リモコン本体は、前記第１開口部側に表示面（９１ａ）を向けて配置しなる表示器（９１）を備えており、
前記着せ替えプレートのうち前記第１開口部を形成する開口形成部（１４０）は、前記リモコン本体の前記一面側から前記意匠面に近づくほど前記第１開口部の開口面積が徐々に小さくなるように形成されており、
前記リモコン本体は、前記第１開口部内に位置して、かつ透光性材料によって前記表示器の前記表示面を覆うように形成されているカバー部（１００）と、前記カバー部に対して前記表示面の面方向端側に配置されて前記開口形成部に沿うように形成されている側部（１０１、１０２、１０３、１０４）とを有する透光部材（９２）を備えていることを特徴とする請求項１に記載の給湯リモコン。
【請求項３】
前記着せ替えプレートおよび前記リモコン本体のうち一方には、他方に向けて突出する突起部（９６）が設けられており、
前記他方が前記突起部の先端側に接触して前記着せ替えプレートおよび前記リモコン本体の間のうち前記突起部以外の領域に空間（９８）を形成した状態で前記リモコン本体に前記着せ替えプレートが保持されており、前記空間は、大気に開放されるようになっていることを特徴とする請求項１または２に記載の給湯リモコン。
【請求項４】
前記着せ替えプレートには、その厚み方向に貫通する第２開口部（１１１、１１２、１１３、１１４、１１５、１１６）を備えており、
前記リモコン本体の前記一面側から前記第２開口部内に突出するように配置されて、前記給湯器を操作するためのスイッチ（９３ａ、９３ｂ、９３ｃ、９３ｄ、９３ｅ、９３ｆ）を備えることを特徴とする請求項３に記載の給湯リモコン。
【請求項５】
前記リモコン本体には、前記一面側から突起して前記着せ替えプレートの面方向端部を囲むように形成されている突起部（９０ｄ）が設けられていることを特徴とする請求項１ないし４のいずれか１つに記載の給湯リモコン。
【請求項６】
前記着せ替えプレートの前記意匠面は、互いに対向する第１、第２の辺を備える形状に形成されており、
前記磁石および前記金属片のうちいずれか一方は、前記着せ替えプレートのうち、前記第１、第２の辺に交差して前記意匠面の中心を通る第１の中心線（Ｓ１）側に配置されていることを特徴とする請求項１ないし５のいずれか１つに記載の給湯リモコン。
【請求項７】
前記リモコン本体のうち、前記意匠面の前記第１の辺側で前記第１の辺の長手方向一方側に対応する部位には、スピーカ（９４）が配置されており、
前記磁石としての第１、第２の磁石と、前記第１、第２の磁石のそれぞれに付く第１、第２の前記金属片とを備えており、
前記第１の磁石および前記第１の金属片のいずれか一方は、前記着せ替えプレートのうち、前記第１の辺側に配置されており、
前記第２の磁石および前記第２の金属片のいずれか一方は、前記着せ替えプレートのうち、前記第２の辺側に配置されていることを特徴とする請求項６に記載の給湯リモコン。
【請求項８】
前記着せ替えプレートの前記意匠面は、前記第１、第２の辺とともに第３、第４の辺を有する形状に形成されており、
前記磁石としての第１、第２、第３の磁石と、前記第１、第２、第３の磁石のそれぞれに付く第１、第２、第３の前記金属片とを備えており、
前記第１の磁石および前記第１の金属片のうちいずれか一方は、前記着せ替えプレートのうち、前記第１の辺側に配置されており、
前記第２の磁石および前記第２の金属片のうちいずれか一方は、前記着せ替えプレートのうち、前記第３、第４の辺に交差して前記意匠面の中心を通る第２の中心線（Ｓ２）側で、かつ前記第３の辺側に配置されており、
前記第３の磁石および前記第３の金属片のうちいずれか一方は、前記着せ替えプレートのうち、前記第２の中心線側で、かつ前記第４の辺側に配置されており、
前記リモコン本体のうち、前記第２の辺側で、かつ前記第２の辺の長手方向一方側に対応する部位には、スピーカ（９４）が配置されていることを特徴とする請求項６に記載の給湯リモコン。
【請求項９】
前記着せ替えプレートの意匠面は、第１〜第４の角部を有する形状に形成されており、
前記磁石としての第１、第２、第３の磁石と、前記第１、第２、第３の磁石のそれぞれに付く第１、第２、第３の前記金属片とを備えており、
前記第１の磁石および前記第１の金属片のいずれか一方は、前記着せ替えプレートのうち、前記意匠面の前記第１の角部側に配置されており、
前記第２の磁石および前記第２の金属片のいずれか一方は、前記着せ替えプレートのうち、前記意匠面の前記第２の角部側に配置されており、
前記第３の磁石および前記第３の金属片のいずれか一方は、前記着せ替えプレートのうち、前記意匠面の前記第３の角部側に配置されており、
前記リモコン本体のうち、前記意匠面の前記第４の角部側に対応する部位にスピーカ（９４）が配置されていることを特徴とする請求項１ないし５のいずれか１つに記載の給湯リモコン。
【請求項１０】
前記リモコン本体の前記一面のうち、前記着せ替えプレートの面方向の一方側に対向する対向部位には、凹部（９７）が形成されており、
前記着せ替えプレートの面方向の一方側をその前記意匠面側から押すと、前記着せ替えプレートの面方向の一方側が前記凹部内に入り、前記着せ替えプレートの面方向の他方側が前記リモコン本体の前記一面側から離れるようになっていることを特徴とする請求項１ないし９のいずれか１つに記載の給湯リモコン。
【発明の詳細な説明】
【技術分野】
【０００１】
本発明は、水を加熱してお湯にして出湯する給湯システムに適用される給湯リモコンに関するものである。
【背景技術】
【０００２】
従来、給湯システムでは、貯湯タンクと、貯湯タンク内の水を加熱して出湯する給湯器と、給湯器を遠隔操作する給湯リモコンとを備えるものがある（例えば、特許文献１参照）。
【０００３】
また、携帯電話端末では、着せ替えパネルを用いてデザインの変更を容易に行うものがある（例えば、特許文献２参照）。
【先行技術文献】
【特許文献】
【０００４】
【特許文献１】特許第４６４００７２号明細書
【特許文献２】特開２０１１−９７４５０号公報
【発明の概要】
【発明が解決しようとする課題】
【０００５】
上記特許文献１の給湯システムには、着せ替えパネルを用いて給湯リモコンのデザインの変更を行うことが記載されていない。また、給湯システムの業界において、デザインの変更を行うために着せ替えパネルを用いた給湯リモコンとして実用化されたものはない。
【０００６】
そこで、本発明者は、給湯リモコンにおいて交換可能な着せ替えパネルを用いる構造について検討した。
【０００７】
本発明は上記点に鑑みて、着せ替えパネルをリモコン本体に容易に取り付けることができ、また着せ替えパネルが安易にリモコン本体から落下しないようにした給湯リモコンを提供することを目的とする。
【課題を解決するための手段】
【０００８】
上記目的を達成するため、請求項１に記載の発明では、水を加熱してお湯にして出湯する給湯器に適用される給湯リモコンであって、一面（９０ａ）を有するリモコン本体（６１）と、リモコン本体の一面を覆う板状に形成されて、一面に対する反対側に向けて意匠面（６２ａ）を配置してなる着せ替えプレート（６２）と、を備え、着せ替えプレートおよびリモコン本体のうち一方には、磁石（９５ａ、９５ｂ、９５ｃ）が配置され、他方には金属片（１２０、１２１、１２２）が配置されており、磁石の磁力によって磁石に金属片が付くことにより、リモコン本体に着せ替えプレートが保持されていることを特徴とする。
【０００９】
請求項１に記載の発明によれば、着せ替えプレートが板状に形成されて、かつ着せ替えプレートが磁石の磁力によってリモコン本体に保持されるようになっているので、着せ替えプレートをリモコン本体に容易に取り付けることができる。これに加えて、上述の如く、磁石の磁力を用いて、リモコン本体に着せ替えプレートが保持されているので、リモコン本体から着せ替えプレートが安易に落下しないようにすることができる。
【００１０】
なお、この欄および特許請求の範囲で記載した各手段の括弧内の符号は、後述する実施形態に記載の具体的手段との対応関係を示すものである。
【図面の簡単な説明】
【００１１】
【図１】本発明の第１実施形態における給湯システムの全体構成を示す図である。
【図２】図１の台所リモコンの正面図である。
【図３】図１の台所リモコンの構成を示す分解図および斜視図である。
【図４】図２中のIV−IV断面図である。
【図５】図２中のV−V断面図である。
【図６】図２中のVI−VI断面図である。
【図７】図２中の着せ替えプレートの反りを説明するための図である。
【図８】本発明の第２実施形態における台所リモコンの部分断面図である。
【図９】本発明の第３実施形態における台所リモコンの正面図である。
【図１０】本発明の第４実施形態における台所リモコンの正面図である。
【発明を実施するための形態】
【００１２】
以下、本発明の実施形態について図に基づいて説明する。なお、以下の各実施形態相互において、互いに同一もしくは均等である部分には、説明の簡略化を図るべく、図中、同一符号を付してある。
【００１３】
（第１実施形態）
図１に本発明の給湯リモコンが適用される給湯システム１の第１実施形態を示す。
【００１４】
給湯システム１は、ヒートポンプユニット１０、タンクユニット２０、熱源ＥＣＵ３０、給湯ＥＣＵ４０、床暖リモコン５０、台所リモコン６０、および風呂リモコン７０を備える。ヒートポンプユニット１０は、圧縮機１１、蒸発器１２、減圧弁１３、および放熱器１４を備え、二酸化炭素等の冷媒を循環させる冷凍サイクル装置を構成する。放熱器１４において、冷媒から水に放熱することにより水を加熱してお湯にする。
【００１５】
タンクユニット２０は、放熱器１４で加熱されたお湯を貯める貯湯タンク、貯湯タンク内のお湯と水道水とを混合弁で混合して蛇口８０に導く給湯配管、および貯湯タンク内のお湯と水道水とを混合弁で混合して浴槽内８２に導く風呂配管等を備える。さらに、タンクユニット２０には、貯湯タンク内のお湯を熱源として浴槽内８２内のお湯を追い炊きするための風呂用温水配管、および貯湯タンク内のお湯を熱源として床暖ユニット８１ａ、８１ｂを循環する熱媒体に対して熱エネルギを与えるための暖房用温水配管等が設けられている。
【００１６】
熱源ＥＣＵ３０は、給湯ＥＣＵ４０との間の通信に基づいて圧縮機１１を制御する。給湯ＥＣＵ４０は、タンクユニット２０を構成する循環ポンプや混合弁等のアクチェータを制御する。このことにより、給湯ＥＣＵ４０は、貯湯タンク内のお湯の沸き上げ、貯湯タンク内のお湯の増加、浴槽内８２内へのお湯の出力、浴槽内８２のお湯の沸き増し、および床暖ユニット８１ａ、８１ｂによる暖房開始および停止等の制御を実行することになる。なお、本実施形態のヒートポンプユニット１０、タンクユニット２０、熱源ＥＣＵ３０、および給湯ＥＣＵ４０は、給湯器を構成する。
【００１７】
床暖リモコン５０は、給湯ＥＣＵ４０を介して、床暖ユニット８１ａ、８１ｂによる暖房開始および停止等を遠隔操作する。台所リモコン６０は、給湯ＥＣＵ４０を介して貯湯タンク内のお湯の沸き上げ、貯湯タンク内のお湯の増加、浴槽内８２内への出湯、浴槽内８２のお湯の追い炊き等の制御を遠隔操作する。風呂リモコン７０は、給湯ＥＣＵ４０を介して浴槽内８２内への出湯、および浴槽内８２のお湯の沸き増し等の制御を遠隔操作する。つまり、床暖リモコン５０、台所リモコン６０、および風呂リモコン７０は、給湯器を操作するための給湯リモコンとしてのリモートコントローラである。なお、本実施形態の床暖リモコン５０、台所リモコン６０、および風呂リモコン７０は、住居内の壁に取り付けられる。以下、床暖リモコン５０、台所リモコン６０、および風呂リモコン７０を総称して給湯リモコン５０、６０、７０という。
【００１８】
次に、本実施形態の給湯リモコン５０、６０、７０のうち台所リモコン６０を代表として、この台所リモコン６０の構造について図２〜図５を参照して説明する。
【００１９】
台所リモコン６０は、リモコン本体６１、および着せ替えプレート６２から構成されている。リモコン本体６１は、図２〜図５に示すように、ケース９０、表示器９１、透光部９２、スイッチ９３ａ、９３ｂ、９３ｃ、９３ｄ、９３ｅ、９３ｆ、スピーカ９４、および永久磁石９５ａ、９５ｂを備える。
【００２０】
ケース９０は、樹脂等から扁平状に形成されている。ケース９０のうち厚み方向の一面９０ａは、厚み方向（紙面手前側）から視て長方形に形成されている。
一面９０ａうち面方向端部には、突起部９０ｄが設けられている。突起部９０ｄは、着せ替えプレート６２の厚み方向に突起して一面９０ａを囲むように形成されている（図３（ａ）、（ｂ）参照）。つまり、突起部９０ｄは着せ替えプレート６２の面方向端部を囲むように形成されている。突起部９０ｄの先端側は、着せ替えプレート６２の意匠面６２ａに対してケース９０の一面９０ａの反対側に位置する。つまり、突起部９０ｄは、着せ替えプレート６２の意匠面６２ａよりも着せ替えプレート６２の厚み方向に突起するように形成されている。
【００２１】
ここで、突起部９０ｄと着せ替えプレート６２との間には、環状隙間が設けられている。当該環状隙間は、着せ替えプレート６２をその面方向から囲むように形成されている。なお、図３（ａ）は、リモコン本体６１および着せ替えプレート６２を分解した状態を示す図、図３（ｂ）は、リモコン本体６１に着せ替えプレート６２を装着した状態を示す図である。
【００２２】
図４、図５の表示器９１は、ケース９０内の基板上に搭載されて、ケース９０の一面９０ａの開口部９１ｂ内に配置されている。表示器９１は、その表示面９１ａをケース９０の開口部９０ｂを通して外側に向けて配置されている。本実施形態の表示器９１は、給湯器の運転状況や操作情報を表示するためのものであって、液晶パネル、ＥＬパネル等から構成されている。
【００２３】
透光部９２は、アクリル樹脂等の透光材料から構成されて、ケース９０内から開口部９０ｂを通して着せ替えプレート６２の意匠面６２ａ側に突出して表示器９１の表示面９１ａを覆うように形成されている。
【００２４】
具体的には、透光部９２は、カバー部１００、側部１０１、１０２、１０３、１０４、およびフランジ部１０５から構成されている。カバー部１００は、表示器９１の表示面９１ａを覆う板状に形成されている。
【００２５】
カバー部１００は、ケース９０の厚み方向（図２中紙面手前側）から視て略長方形に形成されている。カバー部１００のうちリモコン本体６１に対して反対側には、カバー表示面１００ａが形成されている。カバー表示面１００ａは、着せ替えプレート６２に対して平行で、かつ着せ替えプレート６２の意匠面６２ａに対して表示器９１の反対側に位置する。
【００２６】
側部１０１、１０２、１０３、１０４は、カバー部１００の縁部を囲むように形成されている。つまり、側部１０１、１０２、１０３、１０４は、それぞれ、表示器９１の表示面９１ａの面方向端側に配置されて、図４および図５に示すように、カバー部１００の縁部側からケース９０の内側まで延びるように形成されている。
【００２７】
側部１０１、１０２、１０３、１０４は、後述するように、着せ替えプレート６２の厚み方向（すなわち、ケース９０の厚み方向）に対して斜めになるように形成されている。フランジ部１０５は、ケース９０内において、側部１０１、１０２、１０３、１０４を囲むように形成されている。フランジ部１０５は、側部１０１、１０２、１０３、１０４から着せ替えプレート６２の面方向に延びるように形成されている。
【００２８】
図２のスイッチ９３ａ、９３ｂ、９３ｃ、９３ｄ、９３ｅ、９３ｆは、ケース９０内の基板上に搭載されて、それぞれ、一面９０ａに形成されている開口部からそれぞれ突出するように配置されている。スピーカ９４は、ケース９０内側において一面９０ａの穴部９０ｃ（図３参照）に対向する部位に配置されている。スピーカ９４は、例えば、台所リモコン６０および風呂リモコン７０の間の通話に使用されるものである。穴部９０ｃは、スピーカ９４から出力される音をケース９０の外側に導く穴部である。スピーカ９４は、一面９０ａの４つの角部のうち１つの角部側（図２中右下側の角部側）に配置されている。永久磁石９５ａ、９５ｂは、ケース９０一面９０ａ上に配置されている。永久磁石９５ａ、９５ｂの配置の詳細は、後述する。
【００２９】
着せ替えプレート６２は、樹脂材料からなる薄板状に形成されて、ケース９０一面９０ａを覆うように形成されている。着せ替えプレート６２のうちケース９０一面９０ａに対して反対側には、意匠面６２ａが形成されている。着せ替えプレート６２の意匠面６２ａは、この意匠面６２ａに直交する方向から視て略長方形状に形成されている。
【００３０】
具体的には、意匠面６２ａは、上側の辺、下側の辺、右側の辺、および左側の辺を備えている。上側の辺および下側の辺は、第１、第２の辺に対応するもので、互いに平行になっている。右側の辺および左側の辺は、第３、第４の辺に対応するもので、互いに平行になっている。さらに、意匠面６２ａは、右上側の角部、左上側の角部、右下側の角部、および左下側の角部を備える。
【００３１】
右上側の角部は、第１の角部に対応するもので、上側の辺および右側の辺の間において、意匠面６２ａの右上側に凸となる円弧状に形成されている。左上側の角部は、第２の角部に対応するもので、上側の辺および左側の辺の間において、左上側に凸となる円弧状に形成されている。左下側の角部は、第３の角部に対応するもので、下側の辺および左側の辺の間において、左下側に凸となる円弧状に形成されている。右下側の角部は、第４の角部に対応するもので、下側の辺および右側の辺の間において、右下側に凸となる円弧状に形成されている。
【００３２】
このように右上側の角部、左上側の角部、右下側の角部、および左下側の角部は、それぞれ、対角線の方向に凸となる円弧状に形成されている。
【００３３】
着せ替えプレート６２の意匠面６２ａは、ケース９０の突起部９０ｄによって囲まれている。着せ替えプレート６２には、表面および裏面の間を貫通する開口部１１０、１１１、１１２、１１３、１１４、１１５、１１６が設けられている。
つまり、開口部１１０、・・・、１１６は、それぞれ、着せ替えプレート６２に対してその厚み方向に開口している。
【００３４】
ここで、開口部１１０内には、透光部９２のカバー部１００が配置されている。開口部１１１、１１２、１１３、１１４、１１５、１１６には、スイッチ９３ａ、９３ｂ、９３ｃ、９３ｄ、９３ｅ、９３ｆのうち対応するスイッチが配置されている。そして、スイッチ９３ａ、９３ｂ、９３ｃ、９３ｄ、９３ｅ、９３ｆは、それぞれケース９０の一面９０ａ側から開口部１１１、・・・、１１６のうち対応する開口部内に突出するように配置されている。
【００３５】
ここで、スイッチ９３ａ、９３ｂ、９３ｃ、９３ｄ、９３ｅ、９３ｆは、着せ替えプレート６２の意匠面６２ａに対してケース９０の一面９０ａの反対側に突出するように形成されている。
【００３６】
着せ替えプレート６２のうち開口部１１０を形成する開口形成部１４０は、図４および図５に示すように、ケース９０一面９０ａ側から意匠面６２ａに近づくほど開口部１１０の開口面積が徐々に小さくなるように厚み方向に対して斜めになっている。側部１０１、１０２、１０３、１０４は、着せ替えプレート６２の開口形成部１４０に沿うように厚み方向に対して斜めになっている。側部１０１〜１０４と開口形成部１４０とは、隙間を挟んで対向している。つまり、当該隙間は、着せ替えプレート６２の厚み方向に対して斜めに形成されている。
【００３７】
着せ替えプレート６２には、音声出力部１１８が設けられている。音声出力部１１８は、着せ替えプレート６２の意匠面６２ａのうち、右下側の角部側に設けられている。つまり、音声出力部１１８は、着せ替えプレート６２の意匠面６２ａのうち、スピーカ９４に対応する部位に設けられている。音声出力部１１８は、着せ替えプレート６２の表面および裏面の間を貫通する複数の孔部から構成されている。
【００３８】
着せ替えプレート６２のうち裏面側には、金属片１２０、１２１が固定されている。本実施形態では、金属片１２０、１２１は、着せ替えプレート６２のうち裏面側にテープ等の接着部材等によって固定されている。金属片１２０は、永久磁石９５ａに対応し、金属片１２１は、永久磁石９５ｂに対応している。
【００３９】
金属片１２０は、意匠面６２ａの図２中上側の辺側に配置されて、上側の辺の長手方向中央寄りに位置する。金属片１２１は、意匠面６２ａの図２中下側の辺側に配置されて、下側の辺の長手方向中央寄りに位置する。つまり、金属片１２０、１２１は、着せ替えプレート６２の裏面のうち中心線Ｓ１側に配置されている。具体的には、金属片１２０は、中心線Ｓ１に対して右側に若干オフセットし、かつ金属片１２１は、中心線Ｓ１に対して左側に若干オフセットしている。中心線Ｓ１は、意匠面６２ａの中心を通り、かつ上側の辺の長手方向中央部と下側の辺の長手方向中央部とに対してそれぞれ交差する仮想線である。
【００４０】
永久磁石９５ａは、リモコン本体６１のケース９０一面９０ａのうち、金属片１２０に対向する部位に配置されている。永久磁石９５ｂは、リモコン本体６１のケース９０一面９０ａのうち、金属片１２１に対向する部位に配置されている。つまり、永久磁石９５ａは、リモコン本体６１の一面９０ａにおいて、意匠面６２ａの上側の辺側で上側の辺の長手方向中央寄りに対応する部位に位置する。永久磁石９５ｂは、リモコン本体６１一面９０ａにおいて、意匠面６２ａの下側の辺側で下側の辺の長手方向中央寄りに対応する部に位置する。
【００４１】
ここで、永久磁石９５ａの磁力によって永久磁石９５ａに金属片１２０が付き、永久磁石９５ｂの磁力によって永久磁石９５ｂに金属片１２１が付くことにより、着せ替えプレート６２がケース９０一面９０ａ（つまり、リモコン本体６１の一面９０ａ側）に保持されることになる。
【００４２】
なお、本実施形態では、永久磁石９５ａ、９５ｂとしては、薄板状の永久磁石が用いられている。金属片１２０、１２１としては、薄板状に形成されている鉄等の金属板が用いられている。
【００４３】
本実施形態のリモコン本体６１のケース９０一面９０ａには、複数の突起部９６（図６中２つの突起部９６を示す）が分散して配置されている。複数の突起部９６は、ケース９０一面９０ａから着せ替えプレート６２の裏面側に突起するように形成されている。このため、複数の突起部９６の先端側が着せ替えプレート６２の裏面に接触した状態でケース９０一面９０ａと着せ替えプレート６２との間において、複数の突起部９６を除いた領域には、空間９８（図６参照）が形成されている。空間９８は、着せ替えプレート６２と突起部９０ｄとの間の隙間を通して着せ替えプレート６２の意匠面６２ａ側空間に繋がっている。つまり、空間９８は、着せ替えプレート６２と突起部９０ｄとの間の隙間を通して大気に開放されている。
【００４４】
以上により、着せ替えプレート６２は、ケース９０一面９０ａのうち、スイッチ９３ａ・・・、９３ｆ、透光部９２、環状隙間、および穴部９０ｃ（すなわち、スピーカ９４の音出力部）を除いた領域を覆うように形成されている。環状隙間とは、上述の如く、突起部９０ｄと着せ替えプレート６２との間に形成されている隙間のことである。
【００４５】
次に、本実施形態の台所リモコン６０のリモコン本体６１に対する着せ替えプレート６２の着脱について説明する。
【００４６】
まず、リモコン本体６１のケース９０一面９０ａ側に着せ替えプレート６２を装着する際には、突起部９０ｄによって着せ替えプレート６２をその面方向から支えた状態で、リモコン本体６１のケース９０一面９０ａに対して着せ替えプレート６２を対向させる。このとき、着せ替えプレート６２の開口部１１０を透光部９２のカバー部１００に対向させ、かつ着せ替えプレート６２の開口部１１１、１１２、１１３、１１４、１１５、１１６をスイッチ９３ａ、９３ｂ、９３ｃ、９３ｄ、９３ｅ、９３ｆのうち対応するスイッチに対向させる。そして、リモコン本体６１のケース９０一面９０ａに着せ替えプレート６２を近づける。このとき、透光部９２の側部１０１〜１０４が開口形成部１４０に沿って着せ替えプレート６２をリモコン本体６１のケース９０一面９０ａ側に移動する。
【００４７】
これに伴い、透光部９２のカバー部１００が着せ替えプレート６２の開口部１１０内に入る。スイッチ９３ａ、９３ｂ、９３ｃ、９３ｄ、９３ｅ、９３ｆが、着せ替えプレート６２の開口部１１１、１１２、１１３、１１４、１１５、１１６のうち対応する開口部内に入る。
【００４８】
このように、透光部９２の側部１０１〜１０４が開口形成部１４０をガイドしながら、着せ替えプレート６２をリモコン本体６１のケース９０一面９０ａに装着することができる。
【００４９】
その後、永久磁石９５ａの磁力によって永久磁石９５ａに金属片１２０が付き、かつ永久磁石９５ｂの磁力によって永久磁石９５ｂに金属片１２１が付く。これにより、着せ替えプレート６２がリモコン本体６１に保持されることになる。
【００５０】
次に、着せ替えプレート６２を交換する際には、側部１０１〜１０４と開口形成部１４０との間に使用者の指先（具体的には、指先の爪）を入れて、この爪を側部１０１〜１０４と開口形成部１４０との間に入れた状態で、リモコン本体６１のケース９０一面９０ａから着せ替えプレート６２を剥がす。
【００５１】
ここで、側部１０１〜１０４と開口形成部１４０との間に隙間が設けられている場合には、使用者の指先（具体的には、指先の爪）を当該隙間に入れてリモコン本体６１から着せ替えプレート６２を外すことになる。一方、寸法バラツキ等によって側部１０１〜１０４と開口形成部１４０との間に隙間が設けられていない場合には、側部１０１〜１０４と開口形成部１４０との間に使用者の指先を入れ込んで、リモコン本体６１から着せ替えプレート６２を外すことになる。
【００５２】
このように側部１０１〜１０４と開口形成部１４０との間に使用者の指先を入れて着せ替えプレート６２をリモコン本体６１から外すことができる。
【００５３】
以上説明した本実施形態によれば、台所リモコン６０は、水を加熱してお湯にして出湯する給湯器に適用され、給湯器を遠隔操作するためのスイッチ９３ａ〜９３ｆと、スイッチ９３ａ〜９３ｆを一面９０ａに配置してなるリモコン本体６１と、リモコン本体６１の一面９０ａを覆う板状に形成されて意匠面６２ａを一面９０ａに対して反対側に向けて配置されている着せ替えプレート６２とを備える。着せ替えプレート６２の裏面側には金属片１２０、１２１が固定されており、リモコン本体６１の一面９０ａ側に永久磁石９５ａ、９５ｂが固定されている。そして、永久磁石９５ａはその磁力によって金属片１２０に付き、かつ永久磁石９５ｂはその磁力によって金属片１２１に付くことにより、着せ替えプレート６２がリモコン本体６１に保持されている。
【００５４】
以上により、着せ替えプレート６２が薄板状に形成されており、かつ着せ替えプレート６２が永久磁石９５ａ、９５ｂの磁力を用いてリモコン本体６１に保持されている。このため、リモコン本体６１に対して着せ替えプレート６２を用いて容易に取り付けることができる。これに加えて、上述の如く、永久磁石９５ａ、９５ｂの磁力を用いて着せ替えプレート６２をリモコン本体６１に保持するようになっているので、リモコン本体６１から着せ替えプレート６２が安易に落下することもない。
【００５５】
以上により、複数種の着せ替えプレート６２として異なるデザインの意匠面６２ａを有するものを予め用意しておけば、リモコン本体６１に対して異なるデザインの着せ替えプレート６２を装着することにより、給湯リモコン６０の意匠面のデザインの変更を容易に行うことができる。
【００５６】
ここで、台所リモコン６０を構成するケースとして、２以上の分割ケースに分割可能な構造にしたものを採用し、２つ以上の分割ケースのうち、意匠面を有する分割ケース（以下、意匠面分割ケースという）を取り替えることにより、意匠面のデザインの変更を行うことも考えられる。この場合、意匠面分割ケースとしては、立体的な形状なものとなる。このため、使用者が、意匠面のデザインの変更を行うために、意匠面分割ケースを保管するのに手間がかかる。
【００５７】
これに対して、本実施形態では、着せ替えプレート６２は板状に形成されているので、交換も容易で、使用者が着せ替えプレート６２を保管するのに手間がかからない。
【００５８】
本実施形態の台所リモコン６０は住居の壁に取り付けられている。一方、本実施形態の台所リモコン６０を携帯可能なリモコン端末とすることも可能であるが、着せ替えプレート６２はリモコン本体６１に対して磁力で保持されているので、台所リモコン６０を落下させて床等に衝突させた際に、リモコン本体６１から着せ替えプレート６２が外れる恐れがある。
【００５９】
これに対して、本実施形態の台所リモコン６０は、住居の壁に取り付けられている。このため、台所リモコン６０が落下する恐れがなく、またリモコン本体６１から着せ替えプレート６２が外れる恐れもない。
【００６０】
本実施形態のリモコン本体６１の突起部９０ｄは、着せ替えプレート６２の面方向端部を囲むように形成されている。このため、リモコン本体６１の突起部９０ｄは着せ替えプレート６２の面方向端部を面方向から支えることになる。したがって、着せ替えプレート６２がリモコン本体６１のケース９０一面９０ａから面方向にずれることを防止することができる。これにより、着せ替えプレート６２がリモコン本体６１から落下することを防止することができる。
【００６１】
本実施形態では、着せ替えプレート６２のうち開口部１１０を形成する開口形成部１４０は、ケース９０一面９０ａ側から意匠面６２ａに近づくほど開口部１１０の開口面積が徐々に小さくなるように厚み方向に対して斜めになっている。透光部９２の側部１０１、１０２、１０３、１０４は、着せ替えプレート６２の開口形成部１４０に沿うように厚み方向に対して斜めになっている。このため、透光部９２の側部１０１〜１０４が開口形成部１４０をガイドしながら、着せ替えプレート６２をリモコン本体６１のケース９０一面９０ａに装着することができる。したがって、着せ替えプレート６２をリモコン本体６１に容易に装着することができる。
【００６２】
本実施形態では、突起部９０ｄが着せ替えプレート６２を面方向から支えた状態で、着せ替えプレート６２の開口部１１０、・・・１１６にスイッチ９３ａ、・・・９３ｆを入れながら着せ替えプレート６２をリモコン本体６１に取り付けることができる。したがって、着せ替えプレート６２をリモコン本体６１に取り付ける際に、突起部９０ｄ、開口部１１０、・・・１１６、およびスイッチ９３ａ、・・・９３ｆがガイドすることになる。これにより、リモコン本体６１に対する着せ替えプレート６２の取り付けの容易性をより一層向上することができる。
【００６３】
本実施形態では、着せ替えプレート６２の開口形成部１４０は、着せ替えプレート６２の厚み方向に対して斜めに形成されている。側部１０１、１０２、１０３、１０４は、開口形成部１４０に沿うように厚み方向に対して斜めになっている。このため、開口形成部１４０と透光部９２の側部１０１、１０２、１０３、１０４との間に使用者の指先を入れ易い。したがって、リモコン本体６１から着せ替えプレート６２を容易に外すことができる。
【００６４】
以上により、本実施形態の台所リモコン６０において、リモコン本体６１に対して着せ替えプレート６２を容易に脱着することができる。
【００６５】
本実施形態の着せ替えプレート６２は、樹脂材料から薄板状に形成されている。このため、着せ替えプレート６２は、成形時の歪み等が原因で反りが生じて（図７（ａ）、（ｂ）参照）、着せ替えプレート６２のうち中心線Ｓ１側がケース９０一面９０ａから離れる恐れがある。
【００６６】
そこで、本実施形態では、金属片１２０、１２１が着せ替えプレート６２の裏面のうち中心線Ｓ１側に配置されている。このため、金属片１２０、１２１、および永久磁石９５ａ、９５ｂが着せ替えプレート６２の中心線Ｓ１側をリモコン本体６１の一面９０ａに引き付けることができる。これにより、着せ替えプレート６２の反りを矯正することができる。
【００６７】
本実施形態のリモコン本体６１のケース９０一面９０ａと着せ替えプレート６２との間において、複数の突起部９６を除いた領域には、空間９８が形成されている。空間９８は、突起部９０ｄと着せ替えプレート６２との間の隙間を通して着せ替えプレート６２に対して空間９８の反対側（すなわち、着せ替えプレート６２の意匠面６２側）に開放されている。すなわち、空間９８は、突起部９０ｄと着せ替えプレート６２との間の隙間を通して大気に開放されている。
【００６８】
ここで、リモコン本体６１のケース９０一面９０ａと着せ替えプレート６２との間に空間９８が無い場合には、着せ替えプレート６２をケース９０一面９０ａから離すことを妨げる負圧が作用して、使用者が着せ替えプレート６２をケース９０一面９０ａから離す際に苦労する場合がある。
【００６９】
これに対して、本実施形態では、リモコン本体６１のケース９０一面９０ａと着せ替えプレート６２との間には、上述した如く、大気に開放されている空間９８が形成されている。このため、上述した負圧が働くこともなく、リモコン本体６１のケース９０一面９０ａから着せ替えプレート６２を容易に外すことができる。
【００７０】
本実施形態では、永久磁石９５ａは、ケース９０の一面９０ａのうち着せ替えプレート６２の意匠面６２ａの上側の辺の長手方向中央寄りに配置されている。永久磁石９５ｂは、ケース９０の一面９０ａのうち着せ替えプレート６２の意匠面６２ａの下側の辺の長手方向中央寄りに配置されている。つまり、永久磁石９５ａ、９５ｂは、ケース９０の一面９０ａのうち中心線Ｓ１側に配置されている。
スピーカ９４は、ケース９０内において意匠面６２ａの下側の辺の長手方向一方側に配置されている。このため、永久磁石９５ａ、９５ｂとスピーカ９４との間の距離を大きくすることができる。これにより、永久磁石９５ａ、９５ｂの磁力がスピーカ９４に対して悪影響を与えることを抑制することができる。
【００７１】
（第２実施形態）
上記第１実施形態では、台所リモコン６０において、リモコン本体６１から着せ替えプレート６２を外し易くするために、着せ替えプレート６２とケース９０一面９０ａとの間に空間９８を設けた例について説明したが、これに代えて、本第２実施形態では、ケース９０一面９０ａに凹部を設けて、リモコン本体６１から着せ替えプレート６２を外し易くした例について説明する。
【００７２】
図８に本実施形態の台所リモコン６０の部分断面図を示す。本実施形態の台所リモコン６０では、ケース９０一面９０ａのうち突起部９０ｄ側に凹部９７が設けられている。つまり、凹部９７は、リモコン本体６１の一面９０ａのうち着せ替えプレート６２の面方向一方側に対向する対向部位に形成されている。凹部９７は、突起部９０ｄから離れるほど、深さ寸法が徐々に小さくなっている。
【００７３】
そこで、本実施形態では、使用者が着せ替えプレート６２の面方向一方側をその意匠面６２ａ側から押すと、着せ替えプレート６２の面方向一方側が凹部９７内に入り、着せ替えプレート６２の面方向他方側がリモコン本体６１の一面９０ａから離れる（図８（ａ）、（ｂ）参照）。このため、リモコン本体６１から着せ替えプレート６２を外し易くすることができる。
【００７４】
本実施形態では、凹部９７は、突起部９０ｄから離れるほど、深さ寸法が徐々に小さくなっている。つまり、リモコン本体６１の一面９０ａにおいて、着せ替えプレート６２の面方向一方側から面方向他方側から向かうほど、凹部９７の深さ寸法が徐々に小さくなっている。このため、使用者が着せ替えプレート６２の面方向一方側を押して着せ替えプレート６２の面方向他方側がリモコン本体６１の一面９０ａから離れた状態を安定させることが容易になる。これにより、着せ替えプレート６２をリモコン本体６１から容易に外すことができる。
【００７５】
（第３実施形態）
上記第１実施形態では、台所リモコン６０において、金属片１２０（１２１）を着せ替えプレート６２の裏面のうち、意匠面６２ａの上側の辺（下側の辺）の長手方向中央寄りに配置した例について説明したが、これに代えて、本第３実施形態では、３つの金属片を着せ替えプレート６２の裏面のうち、意匠面６２ａの３つの角部側に分散して配置した例について説明する。
【００７６】
図９に本実施形態における台所リモコン６０の正面図を示す。本実施形態の台所リモコン６０には、３つの金属片として、金属片１２０、１２１、１２２が設けられている。
【００７７】
金属片１２０、１２１、１２２は、それぞれ、着せ替えプレート６２の裏面側に分散して配置されている。金属片１２０は、着せ替えプレート６２の裏面のうち、左上側の角部１３０側に配置されている。金属片１２１は、着せ替えプレート６２の裏面のうち、右上側の角部１３１側に配置されている。そして、金属片１２２は、着せ替えプレート６２の裏面のうち、左下側の角部１３２側に配置されている。左上側の角部１３０、右上側の角部１３１、および左下側の角部１３２は、意匠面６２ａの角部である。
【００７８】
本実施形態では、リモコン本体６１のケース９０一面９０ａには、金属片１２０、１２１、１２２に対応する永久磁石９５ａ、９５ｂ、９５ｃ（図９中省略）が配置されている。永久磁石９５ａは、ケース９０一面９０ａのうち金属片１２０に対向する部位に配置されている。永久磁石９５ｂは、ケース９０一面９０ａのうち金属片１２１に対向する部位に配置されている。永久磁石９５ｃは、ケース９０一面９０ａのうち金属片１２２に対向する部位に配置されている。
【００７９】
本実施形態のスピーカ９４は、ケース９０内において、意匠面６２ａの右下側の角部１３３側に対応する部位に配置されている。
【００８０】
以上説明した本実施形態によれば、永久磁石９５ａ、９５ｂ、９５ｃは、ケース９０一面９０ａのうち、意匠面６２ａの角度１３０、１３１、１３２側に分散して配置されている。スピーカ９４は、ケース９０内において意匠面６２ａの角部１３３側に対応する部位に配置されている。これにより、永久磁石９５ａ、９５ｂ、９５ｃとスピーカ９４との間の距離を大きくすることができる。これにより、永久磁石９５ａ、９５ｂ、９５ｃの磁力がスピーカ９４に対して悪影響を与えることを抑制することができる。
【００８１】
（第４実施形態）
上記第３実施形態では、台所リモコン６０において、金属片１２０、１２１、１２２を着せ替えプレート６２の裏面のうち、意匠面６２ａの３つの角部側に分散して配置した例について説明したが、これに代えて、本第４実施形態では、３つの金属片を着せ替えプレート６２の裏面のうち、意匠面６２ａの上側の辺側、右側の辺側、左側の辺側に分散して配置した例について説明する。
【００８２】
図１０に本実施形態における台所リモコン６０の正面図を示す。本実施形態の台所リモコン６０には、３つの金属片として、金属片１２０、１２１、１２２が設けられている。
【００８３】
金属片１２０、１２１、１２２は、それぞれ、着せ替えプレート６２の裏面側に分散して配置されている。具体的には、金属片１２０は、着せ替えプレート６２の裏面のうち、意匠面６２ａの上側の辺側で、上側の辺の長手方向中央部に配置されている。つまり、金属片１２０は、着せ替えプレート６２の裏面のうち中心線Ｓ１側に配置されている。そして、金属片１２１は、着せ替えプレート６２の裏面のうち、意匠面６２ａの右側の辺側で右側の辺の長手方向中央部に配置されている。金属片１２２は、着せ替えプレート６２の裏面のうち、意匠面６２ａの左側の辺側で、左側の辺の長手方向中央部に配置されている。つまり、金属片１２１、１２２が着せ替えプレート６２の裏面のうち中心線Ｓ２側に配置されている。
【００８４】
本実施形態では、永久磁石９５ａは、ケース９０一面９０ａのうち金属片１２０に対向する部位に配置されている。永久磁石９５ｂは、ケース９０一面９０ａのうち金属片１２１に対向する部位に配置されている。永久磁石９５ｃは、ケース９０一面９０ａのうち金属片１２２に対向する部位に配置されている。そして、スピーカ９４は、ケース９０内において意匠面６２ａの右下側の角部１３３側に配置されている。つまり、スピーカ９４は、リモコン本体６１のうち、意匠面６２ａの下側の辺側で、下側の辺の長手方向右側に配置されている。
【００８５】
なお、図１０において、Ｓ１、Ｓ２は、互いに直交する意匠面６２ａの中心線である。中心線Ｓ１は、意匠面６２ａの中心を通り、かつ上側の辺の長手方向中央部と下側の辺の長手方向中央部とに対して交差する仮想線である。中心線Ｓ２は、意匠面６２ａの中心を通り、かつ右側の辺の長手方向中央部と左側の辺の長手方向中央部とに対して交差する仮想線である。
【００８６】
以上により、上記第３実施形態と同様に、永久磁石９５ａ、９５ｂ、９５ｃとスピーカ９４との間の距離を大きくすることができる。これにより、永久磁石９５ａ、９５ｂ、９５ｃの磁力がスピーカ９４に対して悪影響を与えることを抑制することができる。
【００８７】
本実施形態では、金属片１２１、１２２が着せ替えプレート６２の裏面のうち中心線Ｓ２側に配置されている。
【００８８】
ここで、着せ替えプレート６２の成形が原因で着せ替えプレート６２に反りが生じて、着せ替えプレート６２のうち中心線Ｓ２側がケース９０一面９０ａから離れる恐れがある。
【００８９】
そこで、本実施形態では、上述の如く、金属片１２１、１２２が着せ替えプレート６２の裏面のうち中心線Ｓ２側に配置されている。このため、金属片１２０、１２１、および永久磁石９５ａ、９５ｂが着せ替えプレート６２の中心線Ｓ２側をリモコン本体６１の一面９０ａに引き付けることができる。これにより、着せ替えプレート６２において中心線Ｓ２側がケース９０一面９０ａから離れる反りを矯正することができる。
【００９０】
本実施形態では、金属片１２０が着せ替えプレート６２の裏面のうち中心線Ｓ１側に配置されている。このため、金属片１２０および永久磁石９５ａが着せ替えプレート６２の中心線Ｓ１側をリモコン本体６１の一面９０ａに引き付けることができる。これにより、上記第１実施形態と同様、着せ替えプレート６２の中心線Ｓ１側がリモコン本体６１の一面９０ａから離れる反りを矯正することができる。
【００９１】
（他の実施形態）
上記第１の実施形態では、着せ替えプレート６２およびリモコン本体６１のうちリモコン本体６１側に複数の突起部９６を設けた例について説明したが、これに代えて、着せ替えプレート６２およびリモコン本体６１のうち着せ替えプレート６２側に複数の突起部９６を設けてもよい。
【００９２】
上記第１実施形態では、着せ替えプレート６２側に金属片１２０、１２１を配置し、かつリモコン本体６１側に永久磁石９５ａ、９５ｂを配置した例について説明したが、これに代えて、リモコン本体６１側に金属片１２０、１２１を配置し、かつ着せ替えプレート６２側に永久磁石９５ａ、９５ｂを配置してもよい。
【００９３】
上記第３、第４の実施形態では、着せ替えプレート６２側に金属片１２０、１２１、１２２を配置し、かつリモコン本体６１側に永久磁石９５ａ、９５ｂ、９５ｃを配置した例について説明したが、これに代えて、リモコン本体６１側に金属片１２０、１２１、１２２を配置し、かつ着せ替えプレート６２側に永久磁石９５ａ、９５ｂ、９５ｃを配置してもよい。
【００９４】
上記第１実施形態では、金属片１２０、１２１を着せ替えプレート６２の裏面のうち辺側（すなわち、端側）に配置した例について説明したが、これに代えて、金属片１２０、１２１を着せ替えプレート６２の裏面の面方向中央側に配置してもよい。
【００９５】
上記第１〜第４の実施形態では、台所リモコン６０を本発明の給湯リモコンとした例について説明したが、これに限らず、床暖リモコン５０、或いは風呂リモコン７０を本発明の給湯リモコンとしてもよい。
【００９６】
上記第１〜第４の実施形態では、表示器９１およびスイッチ９３ａ・・・９３ｆを備える給湯リモコンを本発明の給湯リモコンとした例について説明したが、
スイッチと表示器とが一体化したタッチパネルを備える給湯リモコンを本発明の給湯リモコンとしてもよい。
【００９７】
なお、本発明を実施するにあたり、ＨＥＭＳ（Home Energy Management System）に適用されるモニタ端末を本発明の給湯リモコンとしてもよい。当該モニタ端末は、家庭内の給湯器等を含む各機器をつないで操作パネルを一元化し、エネルギの使用量を表示器で可視化するようにしたものである。つまり、本発明を実施するにあたり、給湯器を操作できるものであるならば、給湯器以外の機器を操作できるリモートコントローラも本発明の給湯リモコンとしてもよい。
【００９８】
本発明を実施するにあたり、上記第１、第２実施形態を組み合わせて実施してもよく、上記第２、第３実施形態を組み合わせて実施してもよく、上記第２、第４実施形態を組み合わせて実施してもよい。
【００９９】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。
【符号の説明】
【０１００】
１      給湯システム
６０    台所リモコン
６１      リモコン本体
６２      着せ替えプレート
６２ａ    意匠面
９０    ケース
９０ａ  ケースの一面
９３ａ〜９３ｆ    スイッチ
９５ａ、９５ｂ、９５ｃ、９５ｄ      永久磁石（第１、第２、第３の磁石）
１２０、１２１、１２２      金属片（第１、第２、第３の金属片）
【図１】
2015068588.tif 000003
【図２】
2015068588.tif 000004
【図３】
2015068588.tif 000005
【図４】
2015068588.tif 000006
【図５】
2015068588.tif 000007
【図６】
2015068588.tif 000008
【図７】
2015068588.tif 000009
【図８】
2015068588.tif 000010
【図９】
2015068588.tif 000011
【図１０】
2015068588.tif 000012